【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
通信ネットワークを介してエンターテイメントコンテンツへのアクセスの要求を受信するステップであって、前記要求が、前記要求を行うユーザーを判定するのに十分な情報を含む、ステップと、
前記ユーザーに関連するプロファイルおよびアクセスの前記要求に基づいて、
前記要求が前記ユーザーからであることと、
要求された前記アクセスが、前記ユーザーおよび前記エンターテイメントコンテンツに関連する使用権によって許可されることと、
前記エンターテイメントコンテンツをレンダリングすることが意図されたデバイスと、
前記ユーザーによる第１の広告との相互作用、または、前記ユーザーに関連するデバイスを介して前記第１の広告の提示を示す広告使用ヒストリーと、
前記デバイスに前記エンターテイメントコンテンツを供給するフォーマットと、
を判定するステップと、
前記通信ネットワークを介して、前記エンターテイメントコンテンツを前記フォーマットで前記デバイスに提供するステップと、
前記第１の広告とは異なり、少なくとも部分的に前記広告使用ヒストリーに基づく第２の広告を、前記デバイスに提供するステップと、
前記エンターテイメントコンテンツを前記デバイスに提供するために請求すべき料金であって、前記第２の広告を前記エンターテイメントコンテンツに含めるというユーザーの意図に少なくとも部分的に基づいて決定される料金を、前記ユーザーと関連付けるステップと、
を含む、少なくとも部分的にコンピューティングデバイスによって実施される方法。
【請求項２】
受信する前記行為が、前記デバイスから前記要求を受信し、前記要求内の前記情報が、前記デバイスを識別し、判定する前記行為が、前記デバイスを識別する前記情報と前記デバイスが前記ユーザーに一意に関連付けられることを示す前記プロファイルとに基づいて、前記要求が前記ユーザーからであることを判定する、請求項１に記載の方法。
【請求項３】
判定する前記行為が、前記要求が前記ユーザーを一意に識別する識別子を含むことに基づいて、前記要求が前記ユーザーからであることを判定する、請求項１に記載の方法。
【請求項４】
アクセスの前記要求が、前記エンターテイメントコンテンツをダウンロードすることを要求し、前記使用権が、サブスクリプション期間の間の前記エンターテイメントコンテンツへのアクセスを許可し、判定する前記行為が、アクセスの前記要求が前記サブスクリプション期間の間に受信されることを判定し、提供する前記行為が、アクセスの前記要求が前記サブスクリプション期間中に受信されることに基づき、前記サブスクリプション期間中にのみ前記エンターテイメントコンテンツをレンダリングするように前記デバイスを制限する使用ルールを用いて、前記エンターテイメントコンテンツを提供する、請求項１に記載の方法。
【請求項５】
前記使用権が、１回のみレンダリングについて前記エンターテイメントコンテンツへのアクセスを許可し、提供する前記行為が、前記エンターテイメントコンテンツの１回のみレンダリングに前記デバイスを制限する使用ルールと共に前記エンターテイメントコンテンツを提供する、請求項１に記載の方法。
【請求項６】
アクセスの前記要求が、前記エンターテイメントコンテンツを前記デバイスにダウンロードすることを要求し、前記使用権が、特定の回数だけの前記エンターテイメントコンテンツのダウンロードを許可し、判定する前記行為が、前記プロファイルに基づいて、前記ユーザーがある回数だけ前記エンターテイメントコンテンツをダウンロードし終えたことと、前記回数が前記特定の回数未満であることとを判定し、提供する前記行為が、前記デバイスが前記デバイスに前記エンターテイメントコンテンツをダウンロードすることを可能にし、前記コンテンツがダウンロードされた回数を１つだけ増分することによって前記プロファイルを変更するステップをさらに含む、請求項１に記載の方法。
【請求項７】
前記要求が、前記エンターテイメントコンテンツが供給されることを要求される前記デバイスを示し、判定する前記行為が、前記デバイスが特定の解像度フォーマットで前記エンターテイメントコンテンツをレンダリングできることを判定し、提供する前記行為が、前記エンターテイメントコンテンツを前記特定の解像度フォーマットで提供する、請求項１に記載の方法。
【請求項８】
前記要求が、前記エンターテイメントコンテンツが供給されることを要求される前記デバイスを示し、判定する前記行為が、前記デバイスが特定のファイルフォーマットで前記エンターテイメントコンテンツをレンダリングできることを判定し、提供する前記行為が、前記エンターテイメントコンテンツを前記特定のファイルフォーマットで提供する、請求項１に記載の方法。
【請求項９】
前記プロファイルが、前記ユーザーの解像度フォーマットのユーザー選択プリファレンスを含み、判定する前記行為が、前記プロファイルに基づいて前記選択される解像度フォーマットを判定し、提供する前記行為が、前記選択された解像度フォーマットで前記エンターテイメントコンテンツを提供する、請求項１に記載の方法。
【請求項１０】
前記ユーザーが、前記デバイスへのアクセスを有する個人のグループの全メンバーに基づいてグループ化された個人のグループを含む、請求項１に記載の方法。
【請求項１１】
前記プロファイルが、複数のデバイスのフォーマットを含み、判定する前記行為が、前記デバイスから受信される前記要求に基づいてまたは前記デバイスの明示的選択の前記要求内の表示に基づいて、複数のデバイスのうちのどれが前記エンターテイメントコンテンツをレンダリングすることを意図されているかを判定し、前記プロファイルに基づいて、前記エンターテイメントコンテンツをレンダリングすることを意図された前記デバイスに関連するフォーマットを判定し、提供する前記行為が、前記デバイスに関連する前記フォーマットで前記エンターテイメントコンテンツを提供する、請求項１に記載の方法。
【請求項１２】
前記要求に基づいて前記プロファイル内のプリファレンスを更新することをさらに含む、請求項１に記載の方法。
【請求項１３】
コンピューティングデバイスによって実行される時に、前記コンピューティングデバイスに、
異なるサードパーティーコンテンツプロバイダーから異なるエンターテイメントコンテンツまたはそのしるしを受信する行為と、
前記異なるエンターテイメントコンテンツのうちの少なくとも１つに対する選択された使用権の表示を受信する行為であって、前記選択された使用権は、複数の異なるタイプの使用権から、１つまたは複数の前記異なるサードパーティーコンテンツプロバイダーにより選択される、行為と、
前記異なるエンターテイメントコンテンツのうちの前記少なくとも１つをそれぞれがレンダリングできる異なるレンダリングデバイスのアイデンティティーを受信する行為と、
前記異なるエンターテイメントコンテンツのうちの前記少なくとも１つにアクセスする要求を要求元レンダリングデバイスから受信する行為と、
前記要求元レンダリングデバイスが前記異なるレンダリングデバイスのうちの１つであることを判定する行為と、
前記異なるエンターテイメントコンテンツのうちの前記少なくとも１つに対する前記選択された使用権と料金とを関連付ける行為であって、前記料金が前記異なるエンターテイメントコンテンツのうちの前記少なくとも１つに広告を含めるか否かに基づく、行為と、
前記判定する行為に応答して、前記料金の支払いと前記選択された使用権とに少なくとも部分的に基づいて、前記要求元レンダリングデバイスによって要求された前記異なるエンターテイメントコンテンツのうちの前記少なくとも１つを前記要求元レンダリングデバイスにダウンロードしまたはそのためのパミッションを示す行為と、
を実行させるコンピューター可読命令を有する１つまたは複数の有形のコンピューター可読媒体。
【請求項１４】
前記異なるレンダリングデバイスは、それぞれ、さらに、前記異なるサードパーティープロバイダーのいずれかからの前記異なるエンターテイメントコンテンツのいずれかのレンダリングに付随する同一のグラフィカルアイコンを有する同一のメニューを有するグラフィカルユーザーインターフェースを使用してユーザーと相互作用することができる、請求項１３に記載の媒体。
【請求項１５】
前記異なるサードパーティーコンテンツプロバイダーのそれぞれについて、そのそれぞれの異なるエンターテイメントコンテンツに対する複数の異なるタイプの使用権から異なる使用権の選択を受信することをさらに含み、前記同一のグラフィカルアイコンを有する前記同一のメニューが、前記異なる使用権ごとに１つの、２つのグラフィカルアイコンを含む、請求項１４に記載の媒体。
【請求項１６】
コンピューティングデバイスによって実行される時に、前記コンピューティングデバイスに、
エンターテイメントコンテンツをダウンロードするパミッションの要求を受信する行為と、
エンターテイメントコンテンツ、前記エンターテイメントコンテンツを使用するユーザーの権利を管理する使用権、および前記エンターテイメントコンテンツをレンダリングできる前記ユーザーに関連する複数のデバイスを識別するプロファイルおよび前記要求に基づいて、
前記要求が前記ユーザーからであることと、
前記エンターテイメントコンテンツをレンダリングすることを意図された前記複数のデバイスのうちの要求されたデバイスと、
前記要求されたデバイスに関する前記エンターテイメントコンテンツのレンダリングに関する仕様に基づく前記エンターテイメントコンテンツを提供するフォーマットと、
第１の広告とのユーザーの相互作用、または、前記ユーザーに対する表示のために提供される前記第１の広告を示す前記ユーザーの広告使用ヒストリーと、
前記使用権が、前記要求されたデバイスによる前記フォーマットでの前記エンターテイメントコンテンツのダウンロードを許可することと
を判定する行為と、
前記要求されたデバイスに前記フォーマットで前記エンターテイメントコンテンツをダウンロードしまたはそのためのパミッションを示す行為と、
前記第１の広告とは異なり、少なくとも部分的に前記広告使用ヒストリーに基づく第２の広告を、前記要求されたデバイスに提供する行為と、
前記エンターテイメントコンテンツをダウンロードまたはそのためのパミッションを示すために請求すべき料金であって、前記第２の広告を前記エンターテイメントコンテンツに含めるというユーザーの意図および前記使用権に少なくとも部分的に基づいて決定される料金を、前記ユーザーと関連付ける行為と、
を実行させるコンピューター可読命令をその中に有する１つまたは複数の有形のコンピューター可読媒体。
【請求項１７】
前記エンターテイメントコンテンツが、前記エンターテイメントコンテンツのサードパーティープロバイダーで格納され、前記使用権が、以前に前記エンターテイメントコンテンツの前記サードパーティープロバイダーによって選択され、ダウンロードしまたは示す前記行為が、前記フォーマットで前記要求されたデイバスに前記エンターテイメントコンテンツをダウロードすることのパミッションを前記エンターテイメントコンテンツの前記サードパーティープロバイダーに示す、請求項１６に記載の媒体。
【請求項１８】
前記エンターテイメントコンテンツをダウンロードするパミッションに関する第２要求を受信するステップと、
前記プロファイルおよび前記第２要求に基づいて、
前記第２要求が前記ユーザーからであることと、
前記エンターテイメントコンテンツをレンダリングすることを意図された前記複数のデバイスのうちの第２の要求されたデバイスと、
前記第２の要求されたデバイスに関する前記エンターテイメントコンテンツのレンダリングに関する第２仕様に基づいて前記エンターテイメントコンテンツが提供される第２フォーマットと、
前記使用権が前記第２フォーマットでの前記第２の要求されたデバイスへの前記エンターテイメントコンテンツのダウンロードを許可することと
を判定するステップと、
前記第２フォーマットで前記第２の要求されたデバイスに前記エンターテイメントコンテンツをダウンロードしまたはそのためのパミッションを示すステップと、
をさらに含む、請求項１６に記載の媒体。
【請求項１９】
前記第１の要求されたデバイスに関する前記エンターテイメントコンテンツのレンダリングの前記第１仕様が、前記第１の要求されたデバイスが特定のメニューを有する第１インターフェースを用いて前記ユーザーと相互作用することを要求する第１ユーザーインターフェースルールを含み、前記第２の要求されたデバイスに関する前記エンターテイメントコンテンツのレンダリングの前記第２仕様が、前記第２の要求されたデバイスが同一の特定のメニューを有する第２インターフェースを用いて前記ユーザーと相互作用することを要求する第２ユーザーインターフェースルールを含む、請求項１８に記載の媒体。
【請求項２０】
前記要求に基づいて、または前記エンターテイメントコンテンツの前記ユーザーの使用に関する情報を示す受信された使用情報に基づいて、前記プロファイルを変更するステップをさらに含む、請求項１６に記載の媒体。